(57)【特許請求の範囲】
【請求項１】
建物の窓部に設けられ、該窓部の開閉を行うとともに窓施錠装置により施錠されるサッシ戸と、
前記窓部において前記サッシ戸の屋外側に設けられたシャッタカーテンを有し、該シャッタカーテンの昇降により前記窓部の開閉動作を行う電動式のシャッタ装置と、
前記窓施錠装置による前記サッシ戸の施錠状態を検出するサッシ検出手段と、
前記シャッタ装置の動作状態を検出するシャッタ検出手段と、
前記シャッタカーテンの降下動作の異常を閉鎖異常として検出する閉鎖異常検出手段と、
前記閉鎖異常検出手段により前記シャッタカーテンの閉鎖異常が検出された場合に該シャッタカーテンの降下を非常停止させる手段と、
前記シャッタカーテンの降下が非常停止された場合に、該シャッタカーテンを一旦上昇させた後に再び降下させ、非常停止した非常停止位置よりも高い暫定停止位置にて停止させる手段と、
前記サッシ検出手段及び前記シャッタ検出手段の各検出結果として、前記サッシ戸の施錠状態及び前記シャッタカーテンの開閉状態を表示装置に表示させる表示制御手段と、
を備えていることを特徴とする建物の窓管理システム。
【請求項２】
人が前記建物から外出することを検出する外出検出手段を備え、
前記表示制御手段は、前記外出検出手段により人が外出することが検出された場合に前記表示装置に前記各検出結果を表示させることを特徴とする請求項１に記載の建物の窓管理システム。
【請求項３】
前記表示装置は、前記建物の出入口を有する出入口ホールに設置されており、
前記外出検出手段は、前記出入口ホールに人がいることを人が外出することとして検出することを特徴とする請求項２に記載の建物の窓管理システム。
【請求項４】
前記表示制御手段は、前記外出検出手段により人が外出することが検出された場合に前記閉鎖異常検出手段の検出結果を前記表示装置に表示させることを特徴とする請求項２又は３に記載の建物の窓管理システム。
【請求項５】
前記表示制御手段は、前記外出検出手段により人が外出することが検出され、且つ前記シャッタカーテンの降下が非常停止された場合に、該シャッタカーテンの降下が非常停止したことを前記表示装置に表示させることを特徴とする請求項４に記載の建物の窓管理システム。
【請求項６】
人により操作装置に対して閉鎖操作が行われた場合に前記シャッタ装置の閉鎖動作を開始させる手段と、
前記シャッタ装置の閉鎖動作が開始されてからの経過時間が所定時間に達するまでは人が前記建物から外出することを制限する外出制限処理を行う外出制限手段と、
を備えていることを特徴とする請求項１乃至５のいずれか１項に記載の建物の窓管理システム。
【請求項７】
前記建物の出入口に設けられた出入口ドアの施解錠を行うドア施錠装置を備え、
前記外出制限手段は、前記外出制限処理として前記ドア施錠装置の解錠を制限する処理を行うことを特徴とする請求項６に記載の建物の窓管理システム。
【請求項８】
前記シャッタカーテンは、開閉可能なスラットを複数有し、
前記シャッタ装置は、前記スラットの開閉駆動を行うスラット駆動部を有しており、
前記スラットの開閉状態を検出するスラット検出手段が設けられており、
前記表示制御手段は、前記サッシ検出手段及び前記シャッタ検出手段の各検出結果とともに前記スラット検出手段の検出結果を前記表示装置に表示させることを特徴とする請求項１乃至７のいずれか１項に記載の建物の窓管理システム。
【発明の詳細な説明】
【技術分野】
【０００１】
本発明は、建物の窓管理システムに関するものである。
【背景技術】
【０００２】
近年では、建物において窓部に設けられた窓シャッタが防犯目的で使用されている。例えば、住人が外出する際に留守中の防犯を図るべく窓シャッタが閉鎖される。また、窓シャッタとしては電動式のものが実用化されており、操作スイッチ装置に設けられたシャッタ開閉用のボタンが押し操作されることで、シャッタカーテンの閉鎖動作及び開放動作が行われるようになっている（例えば、特許文献１）。
【先行技術文献】
【特許文献】
【０００３】
【特許文献１】特開２００４−６２５４８号公報
【発明の概要】
【発明が解決しようとする課題】
【０００４】
ところで、例えば住人が外出する場合、その住人は窓シャッタを閉鎖状態にすべく閉鎖ボタンを押し操作してその後外出すると想定される。ここで、窓シャッタの閉鎖動作時には、シャッタカーテンの動作開始から終了までに所定の動作所要時間を要するため、実際に窓シャッタが閉鎖状態になったかどうかを確認せずに住人が外出することがあると考えられる。すなわち、住人は閉鎖ボタンを押し操作したことで当然窓シャッタが閉鎖したものとみなし、閉鎖完了を見届けずに外出する。
【０００５】
かかる場合において、窓シャッタは、シャッタレール部にゴミや石があったり駆動系の異常があったりすると正常に閉鎖動作できず、結果として、窓シャッタが完全に閉じないまま住人が外出してしまうことがある。
【０００６】
本発明は、高い防犯性を実現できる窓管理システムを提供することを目的とする。
【課題を解決するための手段】
【０００７】
上記課題を解決するために、第１の発明の建物の窓管理システムは、建物の窓部に設けられ、該窓部の開閉を行うとともに窓施錠装置により施錠されるサッシ戸と、前記窓部において前記サッシ戸の屋外側に設けられ開閉動作する電動式のシャッタ装置と、前記窓施錠装置による前記サッシ戸の施錠状態を検出するサッシ検出手段と、前記シャッタ装置の動作状態を検出するシャッタ検出手段と、前記サッシ検出手段及び前記シャッタ検出手段の各検出結果を表示装置に表示させる表示制御手段と、を備えていることを特徴とする。
【０００８】
第１の発明によれば、シャッタ装置の動作状態及びサッシ戸の施錠状態のそれぞれの検出結果が表示装置により表示されるため、人は表示装置を見ることでシャッタ装置の実際の動作状態及びサッシ戸の実際の施錠状態をまとめて知ることができる。したがって、人はシャッタ装置の動作の様子や窓施錠装置の状態を見に行かなくても、シャッタ装置が正常に動作していることやサッシ戸が施錠状態にあることなどを表示装置にて確認することにより、窓部における防犯性能の低下を抑制できる。また、電動式のシャッタ装置は動作開始から所望の状態に移行するまでにある程度の動作所要時間が必要である。これに対して、本発明によれば、シャッタ装置の動作状態の検出結果が表示装置に表示されるため、人は動作中のシャッタ装置が動作完了するのをシャッタ装置の周辺で待っていなくてもシャッタ装置が所望の状態に移行したことを確認できる。
【０００９】
以上の結果、シャッタ装置及びサッシ戸が設けられた窓部において高い防犯性を実現できる。
【００１０】
第２の発明では、人が前記建物から外出することを検出する外出検出手段を備え、前記表示制御手段は、前記外出検出手段により人が外出することが検出された場合に前記表示装置に前記各検出結果を表示させる。
【００１１】
第２の発明によれば、人が外出しようとした場合にシャッタ装置の動作状態及びサッシ戸の施錠状態をその人に知らせることができる。これにより、外出時においてシャッタ装置の閉め忘れやサッシ戸の施錠忘れを防止できる。
【００１２】
第３の発明では、前記表示装置は、前記建物の出入口を有する出入口ホールに設置されており、前記外出検出手段は、前記出入口ホールに人がいることを人が外出することとして検出する。
【００１３】
第３の発明によれば、表示装置が出入口ホールに設置されているため、外出する人は出入口ホールに移動してから、すなわち外出の間際にシャッタ装置の動作状態及びサッシ戸の施錠状態を知ることができる。この場合、外出する際の窓部の戸締りチェックの確実性を高めることができる。
【００１４】
第４の発明では、前記シャッタ装置の閉鎖動作の異常を閉鎖異常として検出する閉鎖異常検出手段を備え、前記表示制御手段は、前記外出検出手段により人が外出することが検出された場合に前記閉鎖異常検出手段の検出結果を前記表示装置に表示させる。
【００１５】
第４の発明によれば、人がシャッタ装置の閉鎖動作に異常が生じたことを知らず外出してしまうことを回避できる。つまり、人がシャッタ装置による戸締りが正常になされていないことを知らずに外出してしまうことを回避できる。
【００１６】
第５の発明では、前記閉鎖異常検出手段により前記シャッタ装置の閉鎖異常が検出された場合に前記シャッタ装置の閉鎖動作を非常停止させる手段を備え、前記表示制御手段は、前記外出検出手段により人が外出することが検出された場合に、前記シャッタ装置の閉鎖動作が非常停止されたことを前記表示装置に表示させる。
【００１７】
第５の発明によれば、シャッタ装置の閉鎖動作に異常が生じた場合にその閉鎖動作が非常停止される構成において、人がシャッタ装置の非常停止を知らずに外出してしまうことを回避できる。したがって、シャッタ装置の動作に関する安全性を確保しつつ、窓部の防犯性能が低下することを抑制できる。
【００１８】
第６の発明では、人により操作装置に対して閉鎖操作が行われた場合に前記シャッタ装置の閉鎖動作を開始させる手段と、前記シャッタ装置の閉鎖動作が開始されてからの経過時間が所定時間に達するまでは人が前記建物から外出することを制限する外出制限処理を行う外出制限手段と、を備えている。
【００１９】
第６の発明によれば、シャッタ装置の閉鎖動作が開始されてからの経過時間が所定時間に達するまでは人の外出が制限される。この場合、シャッタ装置の動作完了には所要時間は必要であることを考慮することになり、シャッタ装置の動作完了を待たずに人が外出してしまうことを抑制できる。
【００２０】
第７の発明では、前記建物の出入口に設けられた出入口ドアの施解錠を行うドア施錠装置を備え、前記外出制限手段は、前記外出制限処理として前記ドア施錠装置の解錠を制限する処理を行う。
【００２１】
第７の発明によれば、第６の発明の外出制限処理として出入口ドアの解錠制限処理が行われる。これにより、シャッタ装置の動作完了を待たずに人が外出してしまうことをより確実に規制できる。
【００２２】
第８の発明では、前記シャッタ装置は、複数のスラットを有し且つ各スラットが開閉可能であるシャッタカーテンと、前記スラットの開閉駆動を行うスラット駆動部とを有しており、前記スラットの開閉状態を検出するスラット検出手段が設けられており、前記表示制御手段は、前記サッシ検出手段及び前記シャッタ検出手段の各検出結果とともに前記スラット検出手段の検出結果を前記表示装置に表示させる。
【００２３】
第８の発明によれば、人は表示装置を見ることでシャッタ装置の実際の動作状態及びサッシ戸の実際の施錠状態に加えて、スラットの実際の回動状態をまとめて知ることができる。したがって、人はシャッタカーテンのスラットの状態を見に行かなくても、スラットが閉状態にあることを確認できるため、窓部における防犯性能の低下をより確実に抑制できる。
【図面の簡単な説明】
【００２４】
【図１】本実施形態における建物の間取り図。
【図２】窓部周辺の構成を示す概略断面図。
【図３】シャッタ装置の正面図。
【図４】シャッタ制御処理の処理手順を示すフローチャート。
【図５】窓報知制御処理の処理手順を示すフローチャート。
【図６】窓部周辺の構成を示す概略断面図。
【図７】スラットの構成を示す概略断面図。
【発明を実施するための形態】
【００２５】
（第１実施形態）
以下、本発明を具体化した一実施形態について図面を参照しつつ説明する。本実施形態は、本発明を建物に設けられた窓部の状態を管理する窓管理システムとして具体化している。図１は建物１０の間取り図である。
【００２６】
図１に示すように、住宅等の建物１０には、寝室１１、書斎１２、子供部屋１３、居間１４、玄関１５といった複数の建物内空間が設けられている。玄関１５において外壁１６には玄関出入口１７が形成されており、玄関出入口１７には玄関ドア１８が設けられている。玄関ドア１８は玄関出入口１７を開閉する開き戸となっており、外壁１６に対して軸支されている。玄関出入口１７には玄関ドア１８を施錠する玄関施錠装置１９が設けられている。玄関施錠装置１９は玄関ドア１８に取り付けられており、施錠状態及び解錠状態に移行することが可能となっている。
【００２７】
寝室１１、書斎１２、子供部屋１３、居間１４のそれぞれにおいて外壁１６には開口部としての窓部２２が設けられている。各窓部２２にはサッシ戸２５がそれぞれ設けられている。サッシ戸２５は引き違い式の開閉体となっており、水平方向にスライド移動することで窓部２２を開閉する。窓部２２にはサッシ戸２５を施錠する窓施錠装置２６が設けられている。窓施錠装置２６はサッシ戸２５に取り付けられており、施錠状態及び解錠状態に移行することが可能となっている。
【００２８】
窓部２２においてサッシ戸２５の屋外側には電動式のシャッタ装置２７が設けられている。シャッタ装置２７は、窓部２２の全体を屋外側から覆う閉状態と、窓部２２の少なくとも一部を屋外側に露出させた開状態とに移行可能となっている。
【００２９】
本実施形態の窓管理システムにおいては、各建物内空間における窓部２２の状態を報知する表示装置としての玄関モニタ装置２９が玄関１５に設けられている。玄関モニタ装置２９は、玄関１５の内壁面に取り付けられており、報知音声を出力するスピーカと黄色や赤色に点灯する報知ランプと報知画面を表示する表示モニタとを含んで構成されている。玄関モニタ装置２９においてはサッシ戸２５の施錠状態とシャッタ装置２７の動作状態とが報知ランプや表示モニタにより報知される。
【００３０】
窓管理システムについて図２、図３を参照しつつ説明する。図２は窓部２２周辺の構成を示す概略断面図、図３はシャッタ装置２７の正面図である。なお、図２は窓管理システムに関する電気的な構成を示すブロック図を含む図となっている。
【００３１】
図２に示すように、シャッタ装置２７は、昇降するシャッタカーテン３２と、シャッタカーテン３２を収納するシャッタケース３３とを有している。シャッタケース３３は横長箱状に形成されており、窓部２２の上方において外壁１６の屋外面に取り付けられている。シャッタケース３３の内部には、シャッタカーテン３２を巻き取る巻取ドラム３４が設けられている。巻取ドラム３４は水平方向に延びる回転軸を中心として回転可能となっており、回転することでシャッタカーテン３２の巻き取り及び繰り出しを行う。シャッタカーテン３２は巻取ドラム３４に巻き取られることでシャッタケース３３に収納され、巻取ドラム３４から繰り出されることでシャッタケース３３から引き出される。
【００３２】
図３に示すように、シャッタケース３３の下方には左右一対のシャッタレール３７が設けられている。シャッタレール３７は上下方向に延びており、シャッタカーテン３２はシャッタレール３７に沿って上下方向に昇降する。シャッタレール３７の下方には、シャッタカーテン３２の下端と平行に延びているシャッタ受部３８が設けられている。シャッタ受部３８は板面を上下方向に向けた板部材となっており、その板面はシャッタケース３３の下面と対向している。なお、シャッタレール３７及びシャッタ受部３８は外壁１６から屋外側へ突出した状態となっている。
【００３３】
シャッタカーテン３２はスラット３９を複数有するスラット式シャッタカーテンとなっている。スラット３９は横長形状に形成されており、シャッタカーテン３２において上下に並べられている。この場合、複数のスラット３９はシャッタカーテン３２の移動方向に沿って並んでおり、各スラット３９が一体的に上下方向にスライド移動することによりシャッタカーテン３２が昇降することになる。
【００３４】
スラット３９は、鉛直方向を基準とした傾斜角度が調整可能となっている。具体的には、シャッタ装置２７には、各スラット３９の傾斜角度を調整するための開閉ガイド機構４１が設けられている。開閉ガイド機構４１は、スラット３９の端部に係合可能な係合リンク部４２を有しており、係合リンク部４２は全てのスラット３９と係合可能になっている。開閉ガイド機構４１は、係合リンク部４２を各スラット３９に対して係合及び解除させる機能と、係合リンク部４２をスラット３９と係合させた場合にその係合リンク部４２を介してスラット３９を回動させる機能とを有しており、スラット３９を回動させることでスラット３９の傾斜角度を調整する。開閉ガイド機構４１は、スラット３９ごとに個別に傾斜角度を調整することが可能となっている。なお、開閉ガイド機構４１はシャッタレール３７の内部に設けられている。
【００３５】
スラット３９は、その長手方向に延びる回動軸を中心として回動可能となっている。回動軸は係合リンク部４２と係合する部分を含んで水平方向に延びている。隣り合うスラット３９は、それぞれが鉛直方向に立った状態となることで端部同士が当接又は連結される。この場合、隣り合うスラット３９間には通気可能な隙間が形成されておらず、スラット３９は非通気状態となっている。これに対して、スラット３９が鉛直方向に対して傾斜した場合、隣り合うスラット３９間に通気可能な隙間が形成されており、スラット３９は通気状態となっている。スラット３９は、回動することでスラット３９間の隙間を開閉することになる。
【００３６】
図２の説明に戻り、シャッタ装置２７には、巻取ドラム３４を回転させる巻取駆動部４５と、スラット３９を回動させるスラット駆動部４６とが設けられている。巻取駆動部４５及びスラット駆動部４６はそれぞれ電気モータを含んで構成されており、巻取駆動部４５は駆動することでシャッタカーテン３２を昇降させ、スラット駆動部４６は駆動することで各スラット３９の傾斜角度を個別に変えることが可能となっている。ここで、シャッタ装置２７は、巻取駆動部４５が駆動することによりシャッタカーテン３２の昇降が行われるため、シャッタカーテン３２が開状態又は閉状態に移行する際にはある程度の動作所要時間（例えば数秒〜数十秒程度）が必要になる。
【００３７】
窓管理システムに関する電気的な構成について説明する。
【００３８】
窓管理システムにおいて、制御手段としてのコントローラ５１は、ＣＰＵや各種メモリ等からなるマイクロコンピュータを含んで構成されており、建物１０において例えば玄関１５の内壁面に取り付けられている。コントローラ５１は記憶部５２を有しており、記憶部５２には、住人の行動予定を示すスケジュール情報や、サッシ戸２５の開閉予定に関する情報、シャッタ装置２７の動作予定に関する情報などが記憶されている。
【００３９】
コントローラ５１には、シャッタカーテン３２の実際の昇降状態を検出するカーテン昇降センサ５５と、スラット３９の実際の回動状態を検出するスラット回動センサ５６と、シャッタカーテン３２の昇降異常を検出する昇降異常センサ５７と、スラット３９の回動異常を検出する回動異常センサ５８と、シャッタカーテン３２の下端面に加えられた荷重を検出するカーテン下端センサ５９と、シャッタ受部３８の上面に加えられた荷重を検出するシャッタ受部センサ６０とが接続されており、これらセンサ５５〜６０はコントローラ５１に対して検出信号を出力する。これらセンサ５５〜６０は、建物１０において複数のシャッタ装置２７のそれぞれに設けられている。なお、昇降異常センサ５７がシャッタ検出手段に相当し、回動異常センサ５８がスラット検出手段に相当する。
【００４０】
カーテン昇降センサ５５は、シャッタ装置２７の巻取ドラム３４に設けられており、巻取ドラム３４の回転角度を検出する回転角度センサとなっている。コントローラ５１は、カーテン昇降センサ５５により検出された巻取ドラム３４の回転角度に基づいてシャッタケース３３からのシャッタカーテン３２の繰り出し量を算出する。具体的に説明すると、記憶部５２には、シャッタケース３３にシャッタカーテン３２が開状態から閉状態になるまでに要する巻取ドラム３４の回転角度があらかじめ記憶されており、コントローラ５１は、その回転角度と検出された実際の巻取ドラム３４の回転角度とを比較し、その比率に基づいてシャッタカーテン３２の繰り出し量を算出する。なお、コントローラ５１は比率が１：１である場合にシャッタカーテン３２が実際に閉状態にあると判定する。
【００４１】
スラット回動センサ５６は、各スラット３９に設けられており、シャッタケース３３又はシャッタレール３７に対するスラット３９の相対的な位置を検出するエンコーダとなっている。なお、シャッタケース３３又はシャッタレール３７にはスラット回動センサ５６と一対になるエンコーダが設けられている。コントローラ５１は、スラット回動センサ５６により検出された実際のスラット３９の位置を閉状態にある場合のスラット３９の位置と比較し、それら位置が同じであればスラット３９が実際に閉状態にあると判定する。
【００４２】
昇降異常センサ５７は、シャッタ装置２７の巻取駆動部４５に設けられている。昇降異常センサ５７は、巻取駆動部４５に内蔵された基板ＥＣＵに過電流が流れたことを検出するセンサとなっている。なお、巻取駆動部４５の基板ＥＣＵにて過電流が生じた場合、シャッタカーテン３２の昇降が電力ケーブルや箱等の障害物により妨げられて巻取駆動部４５の電気モータの回転数が無理に低下させられた状態となっていることが想定される。
【００４３】
回動異常センサ５８は、シャッタ装置２７のスラット駆動部４６に設けられている。回動異常センサ５８は、スラット駆動部４６に内蔵された基板ＥＣＵに過電流が流れたことを検出するセンサとなっている。なお、スラット駆動部４６の基板ＥＣＵにて過電流が生じた場合、スラット３９の回動が障害物等により妨げられてスラット駆動部４６の電気モータの回転数が無理に低下させられた状態となっていることが想定される。
【００４４】
カーテン下端センサ５９は、複数のスラット３９のうちシャッタカーテン３２の下端面を形成するスラット３９に設けられている。カーテン下端センサ５９は、シャッタカーテン３２の下端面への荷重を検出することによりその下端面に障害物等が接触したことを検出する。シャッタ受部センサ６０は、窓部２２においてシャッタ受部３８に設けられている。シャッタ受部センサ６０は、シャッタ受部３８の上面への荷重を検出することによりその上面に障害物等が接触したことを検出する。したがって、降下動作中のシャッタカーテン３２とシャッタ受部３８との間に障害物が挟まれた場合、カーテン下端センサ５９及びシャッタ受部センサ６０の両センサにより障害物との接触が荷重として検出される。
【００４５】
なお、昇降異常センサ５７、カーテン下端センサ５９、シャッタ受部センサ６０が異常検出手段を構成している。
【００４６】
コントローラ５１には、玄関施錠装置１９と、窓施錠装置２６と、人により入力操作が行われるシャッタ操作装置６５と、有線又は無線通信が可能な通信装置６６とが接続されている。玄関施錠装置１９及び窓施錠装置２６は、玄関ドア１８及びサッシ戸２５の施解錠の状態を検出するセンサをそれぞれ有しており、それらセンサの検出信号を施錠装置１９,２６の状態を示す信号としてコントローラ５１に対して出力する。この場合、窓施錠装置２６は、サッシ戸２５の施錠状態を検出するサッシ検出手段を有していることになる。また、コントローラ５１は指令信号を出力することにより、玄関施錠装置１９の動作制御を行う。
【００４７】
シャッタ操作装置６５は、１つのシャッタ装置２７と対になるように、建物内空間において窓部２２周辺の人が操作可能な位置にシャッタ装置２７ごとに設けられている。シャッタ操作装置６５は、入力操作に伴う入力信号をコントローラ５１に対して出力し、コントローラ５１はその入力信号に合わせてシャッタカーテン３２を昇降させたりスラット３９を回動させたりする。したがって、人はシャッタ操作装置６５を操作することによりシャッタカーテン３２やスラット３９を開閉させることができる。特に、シャッタ操作装置６５に対してカーテン閉鎖操作が行われた場合、シャッタ操作装置６５からカーテン閉鎖信号がコントローラ５１に対して出力され、コントローラ５１は巻取駆動部４５を動作させてシャッタカーテン３２の閉鎖動作を開始させる。
【００４８】
通信装置６６は人が携帯する携帯機Ｋとの無線通信が可能となっている。通信装置６６は、スマートキー等の携帯機Ｋから携帯者の識別情報が出力された場合にその識別情報を受信する。コントローラ５１は、受信した識別情報とあらかじめ記憶部に記憶されている識別情報とを照合して携帯者の認証処理を行い、それら識別情報が一致した場合に携帯者が登録者であると判定する。通信装置６６は玄関１５を対象エリアとして定期的にリクエスト信号を出力しており、携帯者が玄関１５に進入することで携帯機Ｋがリクエスト信号を受信した場合に携帯機Ｋから識別信号が出力される。したがって、コントローラ５１は、携帯者が玄関に進入した場合にその携帯者を対象として認証処理を行う。
【００４９】
窓管理システムにおいてコントローラ５１は、シャッタ装置２７の動作制御を行うシャッタ制御処理と、窓部２２の状態を報知する窓報知制御処理とを行う。ここでは、シャッタ制御処理の処理手順について図４のフローチャートを参照しつつ説明し、窓報知制御処理の処理手順について図５のフローチャートを参照しつつ説明する。なお、コントローラ５１は、シャッタ制御処理及び窓報知制御処理をそれぞれ所定周期で繰り返し実行する。
【００５０】
まず、シャッタ制御処理の処理手順について説明する。
【００５１】
図４においてステップＳ１０１では、カーテン昇降センサ５５の検出信号に基づいてシャッタカーテン３２が閉鎖動作中であるか否かを判定する。ここでは、都度のシャッタカーテン３２の繰り出し量を算出するとともに記憶部５２に記憶し、その算出値が前回処理の算出値より小さい場合にシャッタカーテン３２が閉鎖動作中であるとして、ステップＳ１０２に進む。
【００５２】
ステップＳ１０２では、閉鎖動作中のシャッタカーテン３２に異常が発生したか否かを判定する。ここでは、シャッタカーテン３２が閉状態に移行完了していないことを条件として、昇降異常センサ５７の検出信号に基づいて巻取駆動部４５が過負荷となったか否かを判定し、過負荷となった場合にシャッタカーテン３２の閉鎖動作に異常が生じたとして、ステップＳ１０３に進む。
【００５３】
ステップＳ１０３では、シャッタカーテン３２の非常停止処理を行う。非常停止処理では、シャッタ装置２７の巻取駆動部４５に非常停止信号を出力し、シャッタカーテン３２を停止させる。これにより、シャッタカーテン３２が障害物を挟んだ状態であるにもかかわらず巻取駆動部４５を駆動させ続けるといった不都合が回避される。また、非常停止処理とともに、シャッタカーテン３２を非常停止させた非常停止時間の長さを非常停止タイマにより計測する処理を行う。
【００５４】
シャッタカーテン３２が閉鎖動作中でない場合、ステップＳ１０４に進み、シャッタ操作装置６５に対してカーテン閉鎖操作が行われたか否かを判定する。ここでは、シャッタ操作装置６５からカーテン閉鎖信号を受信したか否かを判定し、カーテン閉鎖信号を受信した場合、カーテン閉鎖操作が行われたとしてステップＳ１０５に進む。ステップＳ１０５では、巻取駆動部４５を動作させてシャッタカーテン３２の閉鎖動作を開始させる。ステップＳ１０６では、シャッタカーテン３２が閉鎖動作を開始してからの経過時間を閉鎖動作経過時間ｔｘとして計測する。
【００５５】
なお、閉鎖動作経過時間ｔｘをカーテン閉鎖操作が行われてからの経過時間としてもよい。また、ステップＳ１０５においてシャッタカーテン３２の閉鎖動作が開始された後は、閉鎖動作経過時間ｔｘの計測が継続して行われる。
【００５６】
シャッタ操作装置６５に対してカーテン閉鎖操作が行われていない場合、ステップＳ１０７に進み、シャッタカーテン３２を非常停止させた状態にあるか否かを判定する。ここでは、巻取駆動部４５に対して出力した最新の信号が非常停止信号であるか否かを判定し、最新の信号が非常停止信号である場合、シャッタカーテン３２が非常停止された状態にあるとしてステップＳ１０８に進む。
【００５７】
ステップＳ１０８では、シャッタカーテン３２の閉鎖異常が障害物を挟んだことによる異常であるか否かを判定する。ここでは、カーテン下端センサ５９及びシャッタ受部３８の各検出信号に基づいてシャッタカーテン３２の下端面及びシャッタ受部３８の上面のそれぞれに荷重が加えられているか否かを判定し、それぞれに加重が加えられている場合、閉鎖異常は障害物挟み異常であるとして、ステップＳ１０９に進む。
【００５８】
ステップＳ１０９では、障害物が撤去されたか否かを判定する。ここでは、シャッタカーテン３２の非常停止時間が所定時間（例えば１分）に達したか否かを判定する。そして、非常停止時間が所定時間に達した場合に、シャッタカーテン３２の下端面及びシャッタ受部３８の上面のそれぞれに加重が加えられているか否かの判定を再び行い、それぞれに加重が加えられていれば障害物が撤去されていないとしてステップＳ１１０に進む。なお、非常停止時間が所定時間に達していない場合、非常停止時間の計測を継続して行うとして、そのまま本シャッタ制御処理を終了する。
【００５９】
ステップＳ１１０では、シャッタカーテン３２の暫定停止処理を行う。ここでは、非常停止させたシャッタカーテン３２の下端部の位置を非常停止位置とし、シャッタカーテン３２の下端部が非常停止位置より少しだけ高い位置を暫定停止位置として算出する。そして、非常停止させたシャッタカーテン３２を上昇させて一旦開状態に移行させ、再びシャッタカーテン３２を降下させてそのシャッタカーテン３２の下端部が暫定停止位置となるようにシャッタカーテン３２の閉鎖動作を停止させる。この結果、シャッタカーテン３２の下端部が継続して障害物に接触することでシャッタカーテン３２が変形するなどといった不都合を回避しつつ、シャッタカーテン３２の開放量を極力小さくできる。
【００６０】
なお、暫定停止処理では、非常停止させてシャッタカーテン３２を上昇させ、全開状態にて停止させてもよい。この場合でも、シャッタカーテン３２と障害物との継続的な接触を回避できる。
【００６１】
障害物が撤去された場合（ステップＳ１０９がＮＯ判定の場合）、ステップＳ１１１に進み、シャッタカーテン３２の閉鎖処理を行う。この場合、障害物挟み異常によりシャッタカーテン３２が一旦は非常停止されても、その後に障害物が取り除かれれば人がシャッタ操作装置６５を操作しなくてもシャッタカーテン３２が閉状態とされる。
【００６２】
なお、コントローラ５１はシャッタカーテン３２の昇降制御に加えてスラット３９の回動制御を行う。例えば、コントローラ５１は、回動異常センサ５８によりスラット３９の回動異常が検出された場合、回動停止信号を出力し、スラット３９の回動を非常停止させる。これにより、スラット３９に回動異常が生じているにもかかわらずスラット駆動部４６を駆動させ続けるといった不都合を回避できる。
【００６３】
次に、窓報知制御処理の処理手順について説明する。
【００６４】
図５において、ステップＳ２０１では、シャッタカーテン３２の繰り出し量（シャッタ制御処理のステップＳ１０１の算出結果）に基づいてシャッタカーテン３２の開閉状態を取得する。ここでは、シャッタカーテン３２の開閉状態を閉状態、開状態、昇降動作中、非常停止状態、暫定停止状態のいずれかに該当させて取得する。なお、シャッタカーテン３２の少なくとも一部が巻き取られた状態は開状態に相当する。
【００６５】
ステップＳ２０２では、スラット回動センサ５６の検出信号に基づいてスラット３９の開閉状態を取得する。ここでは、スラット３９の開閉状態を通気状態、非通気状態、回動動作中、非常停止状態のいずれかに該当させて取得する。ステップＳ２０３では、窓施錠装置２６の検出信号に基づいてサッシ戸２５の施錠状態を取得する。ステップＳ２０４では、通常報知処理を実行する。通常報知処理では、シャッタカーテン３２の開閉状態、スラット３９の開閉状態、窓部２２におけるサッシ戸２５の施錠状態を玄関モニタ装置２９にて報知ランプや表示モニタにより一括して報知させる。
【００６６】
玄関モニタ装置２９において報知ランプは、シャッタカーテン３２について閉状態、開状態、昇降動作中、非常停止状態、暫定停止状態のそれぞれについて個別に設けられており、通常報知処理では該当する状態の表示ランプを点灯させる。なお、開状態、閉状態、昇降動作中の各表示ランプは黄色にて点灯させ、非常停止状態、暫定停止状態の表示ランプは赤色にて点灯させる。また、報知ランプは、スラット３９について閉状態、開状態、非常停止状態のそれぞれについて個別に設けられ、サッシ戸２５について施錠状態、解錠状態のそれぞれについて個別に設けられている。
【００６７】
ステップＳ２０５では、人が外出するか否かを判定する。ここでは、携帯機Ｋの携帯者が玄関１５に移動したことに伴う認証処理が行われたか否かを判定するとともに、玄関施錠装置１９により玄関ドア１８の解錠が検出されたか否かを判定し、認証処理が行われ且つ玄関ドア１８が解錠された場合に、人が外出する際の予備動作が行われたとしてステップＳ２０６に進む。なお、窓施錠装置２６によりサッシ戸２５の施錠が検出され、且つ玄関施錠装置１９により玄関ドア１８の解錠が検出された場合に、外出の予備動作が行われたと判定してもよい。
【００６８】
ステップＳ２０６では、閉鎖動作経過時間ｔｘが閉鎖所要時間Ｔに達したか否かを判定する。ここで、閉鎖所要時間Ｔは、全開状態にあるシャッタカーテン３２が閉状態に移行するまでに要する時間と同じ値に定められており、閉鎖動作経過時間ｔｘが閉鎖所要時間Ｔに達していない場合（ｔｘ＜Ｔの場合）、シャッタカーテン３２が閉状態に移行していないとして、ステップＳ２０７に進む。
【００６９】
ステップＳ２０７では、玄関ドア１８の解錠禁止処理を行う。解錠禁止処理では、玄関施錠装置１９に対して解錠禁止信号を出力し、屋内側からの操作では玄関施錠装置１９を解錠状態に移行させることができないようにする。この場合、シャッタカーテン３２が閉鎖動作中である時は玄関出入口１７からの人の外出が規制されるため、シャッタカーテン３２の閉鎖動作に異常が発生した時には既に人が玄関出入口１７から屋外へ出てしまっているということが回避される。
【００７０】
閉鎖動作経過時間ｔｘが閉鎖所要時間Ｔに達した場合（ｔｘ≧Ｔの場合）、ステップＳ２０８に進み、玄関ドア１８の解錠許可処理を行う。解錠許可処理では、玄関施錠装置１９に対して解錠許可信号を出力し、屋内側からの操作により玄関施錠装置１９が解錠状態に移行されるようにする。このため、シャッタカーテン３２の閉鎖動作が正常に完了したことを条件として、人は玄関出入口１７から外出することができる。
【００７１】
ステップＳ２０９では、シャッタカーテン３２が異常状態にあるか否かを判定する。ここでは、シャッタカーテン３２が非常停止状態及び暫定停止状態のいずれかの状態にあるか否かを判定し、いずれかの状態にある場合にシャッタカーテン３２が異常状態にあるとして、ステップＳ２１０に進む。
【００７２】
ステップＳ２１０では、外出時異常報知処理を実行する。外出時異常報知処理では、シャッタカーテン３２が非常停止状態又は暫定停止状態にあることを、その旨を知らせる音声等により玄関モニタ装置２９から報知させる。これにより、玄関１５を通って外出するは、建物内空間に戻って窓部２２周辺を視認しなくてもシャッタ装置２７が閉状態になっていないことを知ることができる。なお、外出時異常報知処理では、玄関モニタ装置２９にて表示モニタや報知ランプによる報知が行われてもよい。
【００７３】
以上詳述した本実施形態によれば、以下の優れた効果が得られる。
【００７４】
シャッタ装置２７の動作状態とサッシ戸２５の施錠状態とが玄関モニタ装置２９の報知ランプや表示モニタにより一括して表示されるため、人は玄関モニタ装置２９を見ることでシャッタ装置２７の実際の動作状態とサッシ戸２５の実際の施錠状態をまとめて知ることができる。したがって、人はシャッタ装置２７やサッシ戸２５を見るために書斎１２等に行かなくても、シャッタ装置２７が動作していることやサッシ戸２５が施錠状態にあることなどを玄関モニタ装置２９にて確認することができ、ひいては、シャッタカーテン３２の閉め忘れやサッシ戸２５の施錠忘れを防止できる。
【００７５】
玄関モニタ装置２９は玄関１５に設けられているため、人はシャッタ装置２７の動作開始から動作完了までシャッタ装置２７の周辺にて待っている必要がない。例えば、人が外出する前に書斎１２のシャッタ操作装置６５にてカーテン閉鎖操作を行った場合、シャッタカーテン３２が閉状態に移行するまでにある程度の動作所要時間が必要であるが、人は外出時刻等を気にしながら書斎１２で待っていなくても、玄関１５に移動して玄関モニタ装置２９を見ることにより戸締りチェックの一環としてシャッタ装置２７の動作完了を知ることができる。したがって、外出時においてシャッタカーテン３２の閉め忘れや、シャッタカーテン３２が正常に閉まらなかったことを知らずに外出してしまうことを防止できる。
【００７６】
以上の結果、シャッタ装置２７及びサッシ戸２５が設けられた窓部２２において高い防犯性を実現できる。
【００７７】
コントローラ５１は玄関モニタ装置２９を対象とした制御処理として、人が外出しない場合に通常報知処理を行い、人が外出する場合に外出時異常報知処理を行う。ここで、外出時異常報知処理はシャッタカーテン３２が非常停止状態又は暫定停止状態にあることを報知する処理であるため、人は玄関１５に居ながらにしてシャッタカーテン３２の動作に異常があったことを知ることができる。したがって、シャッタカーテン３２が閉状態になっていないにもかかわらず人が外出してしまうという不都合を回避できる。また、この場合、人はシャッタカーテン３２の動作に異常がなければ書斎１２等に戻る必要がなく、異常があった場合だけ書斎１２等に戻ってシャッタ装置２７に対して異常解消作業を行えばよい。
【００７８】
シャッタカーテン３２の閉鎖動作中においては、シャッタカーテン３２の下端部とシャッタ受部３８との間に障害物が挟まれた場合、シャッタカーテン３２の閉鎖動作が非常停止される。このため、シャッタカーテン３２を昇降させるための巻取駆動部４５が過負荷となることを回避できる。さらに、障害物の挟み込みが所定時間以上継続された場合、シャッタカーテン３２はその下端部が障害物に接触しない暫定停止位置にて停止するように動作制御される。このため、シャッタカーテン３２が障害物に継続的に接触することにより変形するといった不都合を回避できる。
【００７９】
シャッタ操作装置６５に対してカーテン閉鎖操作が行われてからの閉鎖動作経過時間ｔｘが閉鎖所要時間Ｔに達していない場合、玄関ドア１８の解錠が禁止されるため、シャッタカーテン３２が正常に閉状態に移行するまでは人が玄関出入口１７から外出できないようになっている。したがって、シャッタカーテン３２の閉鎖動作に異常が発生してシャッタカーテン３２が開いた状態で停止した場合、その旨を人が外出する前にその人に確実に知らせることができる。この結果、例えばシャッタカーテン３２が開いたままの状態で放置されることを抑制できる。つまり、窓部２２の防犯性能が低下したままの状態で放置されることを抑制できる。
【００８０】
玄関モニタ装置２９は、シャッタカーテン３２の開閉状態に加えて、スラット３９の開閉状態及びサッシ戸２５の施錠状態を報知することが可能となっている。このため、住人の外出に際して、スラット３９の閉め忘れやサッシ戸２５の施錠忘れを防止することができる。
【００８１】
（第２実施形態）
上記第１実施形態では、シャッタ装置２７の動作状態が報知されることで防犯性能を確保する構成としたが、これに加えて第２実施形態では、屋外において窓部２２周辺に人がいる場合に警戒処理を行うことで防犯性能を高める構成とする。図６は窓部２２周辺の構成を示す概略断面図である。
【００８２】
図６に示すように、シャッタケース３３には、屋外において窓部２２周辺にいる人を検知する人感センサ７１と、人感センサ７１を保護するセンサ保護装置７２と、警戒用の光を発生させる発光装置７３と、警戒用の音声を出力するスピーカ装置７４とが設けられている。
【００８３】
人感センサ７１はシャッタケース３３の下面に取り付けられており、人の熱を検知する熱センサとなっている。このため、人感センサ７１は、風により揺れる植栽や飛来物などを人として検知しにくくなっている。また、人感センサ７１の検知範囲はグランドレベルで半径２ｍの円の内側となっている。なお、シャッタケース３３はその下面がグランドレベルに立っている人では手の届きにくい高さ（例えば２．３ｍ）となる位置に取り付けられている。この場合、人感センサ７１にはグランドレベルに立っている人では手が届きにくくなっている。
【００８４】
センサ保護装置７２は、人感センサ７１を下方から覆うようにしてシャッタケース３３の下面に取り付けられている。センサ保護装置７２は、人感センサ７１を屋外側から視認できないようにする保護カバーを有しており、その保護カバーは保護状態と非保護状態とに移行可能になっている。センサ保護装置７２は駆動部を有しており、その駆動部が駆動することにより保護カバーの状態移行が行われる。センサ保護装置７２の保護カバーは非透明性の材料により形成されている。この場合、人感センサ７１はセンサ保護装置７２が非保護状態にある場合に人検知が可能となり、センサ保護装置７２が保護状態にある場合は人検知が不可となる。
【００８５】
なお、人感センサ７１はシャッタケース３３内に設けられていてもよい。この場合、センサ保護装置７２の状態に関係なく人感センサ７１に風雨が当たることが抑制されるため、人感センサ７１が汚れることを防止できる。さらに、人感センサ７１をシャッタケース３３内において屋外側から視認しにくい位置に設置することにより、人感センサ７１が屋外側から不審者に見つけられることを抑制できる。
【００８６】
発光装置７３及びスピーカ装置７４はシャッタケース３３内に設けられている。シャッタケース３３において発光装置７３の周辺であってその発光装置７３の屋外側の部分は透明性を有しており、発光装置７３が発光した場合にその光が屋外側から視認されるようになっている。
【００８７】
なお、人感センサ７１と発光装置７３とはセンサーライトとして一体的に設けられていてもよい。ただし、この場合、センサ保護装置７２の保護カバーは透明性を有していることが好ましい。
【００８８】
人感センサ７１、センサ保護装置７２、発光装置７３、スピーカ装置７４はそれぞれコントローラ５１と電気的に接続されている。人感センサ７１は検出信号をコントローラ５１に対して出力する。コントローラ５１は指令信号を出力し、センサ保護装置７２、発光装置７３、スピーカ装置７４の動作制御を行う。
【００８９】
コントローラ５１は、人感センサ７１により屋外の窓部２２周辺にて人が検知された場合、その人を対象として認証処理を行う。検知された人が非登録者である場合や、携帯機Ｋを有していない人である場合、その人を不審者であるとして、警戒処理を行う。警戒処理では、巻取駆動部４５にシャッタカーテン３２を閉状態に移行させる処理、スラット駆動部４６にスラット３９を閉状態に移行させる処理、発光装置７３から警戒光を発生させる処理、スピーカ装置７４から警戒音声を出力させる処理を行う。なお、電動式のシャッタ装置２７において、スラット３９はシャッタカーテン３２に比べて閉状態になるまでの動作所要時間が短いため、不審者に対する警戒処理として有効である。
【００９０】
また、コントローラ５１は、警戒処理としてセンサ保護装置７２を保護状態に移行させる処理を行う。この処理により、不審者が人感センサ７１を検知不能な状態にすることや人感センサ７１にいたずらすることなどに対して抑止力を発揮できる。ここでは、センサ保護装置７２が保護状態にある継続時間を計測し、その継続時間が所定時間（例えば数秒）に達した場合にセンサ保護装置７２を非保護状態に移行させ、再び人感センサ７１により不審者が検知されればセンサ保護装置７２を保護状態に移行させる。これにより、人感センサ７１の保護を図りつつ不審者の検知を行うことができる。
【００９１】
コントローラ５１は、警戒処理の実行後、人感センサ７１により人が検知されない時間が所定時間（例えば５分）に達した場合、警戒解除処理を行う。警戒解除処理では、シャッタカーテン３２及びスラット３９を警戒処理実行前の開閉状態に戻し、発光装置７３及びスピーカ装置７４の駆動を停止させる。
【００９２】
なお、警戒処理の実行後、人が検知されない期間が所定期間に達しても、警戒解除処理を行わなくてもよい。また、警戒処理の実行後、人の検知継続時間が所定時間（例えば５分）に達した場合、追加処理として、スピーカ装置７４から別の内容の音声を出力させる処理や、出力音声の音量を大きくする処理を行ってもよい。
【００９３】
本実施形態では、シャッタ装置２７の構造に関して防犯性能が高められている。まず、シャッタカーテン３２の防犯構造について図７を参照しつつ説明する。図７はスラット３９の構成を示す概略断面図であり、（ａ）に通気状態にある場合の図を示し、（ｂ）に非通気状態にある場合の図を示す。
【００９４】
図７に示すように、シャッタカーテン３２のスラット３９は隣のスラット３９と係合する構成となっている。具体的には、スラット３９の下端部には斜め下方に延びるテール部７９が設けられており、テール部７９の先端に係合部８１が設けられている。スラット３９の上部には隣のスラット３９の係合部８１が係合可能な被係合部８２が設けられている。
【００９５】
図７（ｂ）に示すように、シャッタカーテン３２において各スラット３９が閉状態にある場合、上下に隣り合うスラット３９のうち上のスラット３９の係合部８１が下のスラット３９の被係合部８２に係合されている。この場合、例えば不審者によりスラット３９に上下方向に向かう外力が加えられても、係合部８１と被係合部８２との係合が解除されない限りはスラット３９が上下に移動しにくくなっている。したがって、スラット３９間に隙間を強引に作り出すことが困難になっており、防犯性能が高められている。
【００９６】
これに対して、図７（ａ）に示すように、シャッタカーテン３２において各スラット３９が開状態にある場合、隣り合うスラット３９について係合部８１と被係合部８２との係合が解除され、スラット３９の間に隙間が形成されている。
【００９７】
次に、シャッタケース３３の防犯構造について簡単に説明する。シャッタケース３３は外壁１６の屋外側面に取り付けられており、シャッタケース３３と外壁１６とが当接する部分に固定用のビスが屋内側から螺着されている。この場合、ビスを屋外側から外すことが困難になっているため、不審者がシャッタケース３３を外して窓部２２から屋内へ侵入することに対して抑止力を発揮できる。なお、建物１０がユニット式建物である場合、工場において建物ユニットの壁部にシャッタケース３３を取り付け固定しておき、その状態で建築現場に搬送することが好ましい。これにより、シャッタケース３３を固定するためのビスを屋内側から螺着することが容易となる。
【００９８】
また、シャッタ装置２７においては、巻取駆動部４５、スラット駆動部４６、人感センサ７１、センサ保護装置７２、発光装置７３、スピーカ装置７４などに接続されている電気配線が屋外側に露出しないように配設されている。これにより、不審者により電気配線が切断されてシャッタカーテン３２が強引に開けられるということを回避できる。
【００９９】
以上詳述した本実施形態によれば、以下の優れた効果が得られる。
【０１００】
屋外において窓部２２の周辺に不審者がいることを条件として、シャッタカーテン３２やスラット３９の閉鎖処理などの警戒処理が行われるため、例えば住人の外出中にはシャッタカーテン３２やスラット３９を常に閉状態にしておかなくても、不審者が窓部２２から侵入することに対して抑止力を発揮できる。したがって、建物１０に住人が不在であっても建物内空間への日射を確保しつつ、防犯性能を確保することができる。
【０１０１】
人感センサ７１がセンサ保護装置７２により適宜保護されているため、人感センサ７１の検知能力が不審者により無効化されてしまうことを回避できる。したがって、不審者が検知された場合に警戒処理を行うことで防犯性能を高める構成において、防犯性能の低下を回避できる。なお、住人が建物１０内にいる場合にセンサ保護装置７２を保護状態にしておくことにより、人感センサ７１に風雨等による汚れが付着することを抑制できる。したがって、人感センサ７１に汚れが付着することにより人感センサ７１の検知精度が低下することを抑制できる。
【０１０２】
（他の実施形態）
本発明は上記各実施形態の記載内容に限定されず、例えば次のように実施してもよい。
【０１０３】
（１）上記第１実施形態において、人が外出しようとした場合に通常報知処理が実行されてもよい。例えば、人の外出予備動作が検出された場合に、シャッタカーテン３２が昇降動作中であればその旨が報知される構成とする。この構成によれば、シャッタカーテン３２が閉鎖動作中であって住人が書斎１２から玄関１５に移動した場合に、住人は書斎１２等に戻ってシャッタ装置２７を視認しなくても、シャッタカーテン３２が閉状態になったことを玄関モニタ装置２９で玄関１５に居ながらにして確認することができる。
【０１０４】
（２）上記第１実施形態において、住人の外出予定に合わせて通常報知処理や外出時異常報知処理が実行されてもよい。例えば、住人の外出予定を含むスケジュール情報が記憶されており、コントローラ５１がそのスケジュール情報に基づいて外出時異常報知処理を行う構成とする。この構成によれば、住人が玄関１５に行くより前や玄関ドア１８を解錠させる前に、その住人にシャッタカーテン３２が非常停止状態や暫定停止状態にあることを知らせることができる。
【０１０５】
（３）上記第１実施形態において、携帯機Ｋがコントローラ５１からの信号を受信可能な携帯電話等であれば、外出時異常報知処理において異常報知を携帯機Ｋにより行わせてもよい。この場合、人が外出してからシャッタ装置２７の動作異常が検出されても、その動作異常の検出を携帯機Ｋから携帯者に知らせることができる。
【０１０６】
（４）上記第１実施形態において、シャッタ装置２７の閉鎖動作経過時間ｔｘが閉鎖所要時間Ｔに達するまで建物１０からの人の外出が制限される構成としては、玄関ドア１８の解錠を制限する構成の他に、玄関モニタ装置２９により外出禁止の旨が報知される構成、コントローラ５１により運転制御される車両の始動が制限される構成などが挙げられる。いずれの構成においても、シャッタ装置２７の閉鎖動作が完了していない場合に、人の外出が制限されることになり、シャッタ装置２７の閉鎖動作の異常がそのまま放置されるという不都合を回避できる。
【０１０７】
（５）上記第１実施形態において、玄関モニタ装置２９等の表示装置は、玄関出入口１７等の出入口を有する出入口ホールに設けられていればよい。例えば、勝手口を有する出入口ホールとしてのキッチンや、裏口を有する出入口ホールとしての廊下に設けられている構成とする。この場合、携帯機Ｋの携帯者がキッチンや廊下に移動したことを条件としてその携帯者の認証処理が行われることが好ましい。これにより、人がキッチンや廊下を通って勝手口や裏口から外出する場合に、キッチンや廊下において表示装置にてシャッタ装置２７の動作状態及びサッシ戸２５の施錠状態を一括して表示することができる。
【０１０８】
（６）上記第１実施形態において、人が建物から外出することを検出する外出検出手段として、玄関１５に人がいることを検出する人検知手段が玄関１５に設けられていてもよい。
【０１０９】
（７）上記第１実施形態では、シャッタカーテン３２の閉鎖動作経過時間ｔｘの計測は、あらかじめ定められた動作予定に合わせてシャッタカーテン３２の閉鎖動作が開始された場合に行われてもよい。例えば、人の行動予定を示すスケジュール情報が記憶部５２に記憶されており、コントローラ５１がそのスケジュール情報の外出予定時刻に合わせてシャッタカーテン３２を閉鎖させ、閉鎖動作経過時間ｔｘが閉鎖所要時間Ｔに達していなければ玄関ドア１８の解錠を許可しない構成とする。この構成によれば、シャッタ装置２７が自動運転された場合でも、シャッタカーテン３２の閉鎖動作が正常に完了する前に人が玄関出入口１７から屋外に出ることを規制できる。
【０１１０】
（８）上記各実施形態において、シャッタカーテン３２は水平方向にスライド移動することで開放状態及び閉鎖状態に移行する構成であってもよい。例えば、縦長形状のスラット３９が水平方向に並べられている構成とする。
【０１１１】
（９）上記第１実施形態において、スラット回動センサ５６は複数のスラット３９の少なくとも１つのスラット３９に設けられていればよい。この場合、全てのスラット３９がまとめて開閉する構成とすることが好ましい。これは、１つのスラット３９の開閉状態を検出することが他の全てのスラット３９の開閉状態を検出することに相当するためである。
【符号の説明】
【０１１２】
１０…建物、１５…出入口ホールとしての玄関、１７…出入口としての玄関出入口、１８…出入口ドアとしての玄関ドア、１９…ドア施錠装置としての玄関施錠装置、２２…窓部、２５…サッシ戸、２６…窓施錠装置及びサッシ検出手段としての窓施錠装置、２７…シャッタ装置、２９…表示装置としての玄関モニタ装置、３２…シャッタカーテン、３９…スラット、４６…スラット駆動部、５１…表示制御手段及び外出制限手段としてのコントローラ、５５…シャッタ検出手段としてのカーテン昇降センサ、５６…スラット検出手段としてのスラット回動センサ、５７…閉鎖異常検出手段を構成する昇降異常センサ、６５…操作装置としてのシャッタ操作装置、シャッタ６６…外出検出手段を構成する通信装置。
【図１】
0005638836.tif 000002
【図２】
0005638836.tif 000003
【図３】
0005638836.tif 000004
【図４】
0005638836.tif 000005
【図５】
0005638836.tif 000006
【図６】
0005638836.tif 000007
【図７】
0005638836.tif 000008